(57)【要約】【課題】  構成を簡略化することができるとともに、便器への取付作業が容易であり、複数回使用することができる非常用トイレを提供する。【解決手段】  便器本体２と便座３との間に挾持可能とした枠状の台座４と、複数の気密性の袋１０を１枚ずつ分離可能に重ね合わせるとともに、複数の袋１０を開口した状態で、開口縁部１１を台座４の上面１２に取外し可能に止着し、かつ複数の袋１０における底部１３を、台座４の開口１０から便器本体２内に挿入可能とした排泄物蓄積部９とを備えるものとする。【選択図】  図１
2013081564.tif 000002
【特許請求の範囲】
【請求項１】
便器本体上に設けた便座の着座面に載置可能とするか、または便器本体と便座との間に挾持可能とした枠状の台座と、複数の気密性の袋を１枚ずつ分離可能に重ね合わせるとともに、複数の袋を開口した状態で、開口縁部を台座の上面に取外し可能に止着し、かつ複数の袋における底部を、台座の開口から便器本体内に挿入可能とした排泄物蓄積部とを備えることを特徴とする非常用トイレ。
【請求項２】
前記台座の後部に左右方向の折り曲げ案内線を設け、着座時に台座の後端部が、前記便座または便器本体の上面後部に設けた隆起部によって、前記折り曲げ案内線から上方に折り曲げられるようにした請求項１に記載の非常用トイレ。
【請求項３】
前記複数の袋を、互いに連続する２辺から開口可能とするとともに、他の２辺を閉塞し、閉じた状態においてほぼ四角形となるように形成し、開口可能な２辺を開いた状態で、当該２辺の開口縁部を、前記座板の上面に取外し可能に止着し、さらに閉塞された２辺が前記便器本体内において前後方向を向くようにした請求項１または２に記載の非常用トイレ。
【請求項４】
前記複数の袋を、閉じた状態においてほぼ長方形となるように形成し、閉塞された長辺および短辺が、短辺を後位として、前記便器本体内において前後方向を向くようにして、複数の袋の底部を便器本体内に挿入可能とした請求項３に記載の非常用トイレ。
【請求項５】
前記複数の袋における開口縁部の前端部および後端部を、前記台座の着座面に取外し可能に止着し、それ以外の部分を、台座の上面に止着することなく載置した請求項１〜４のいずれかに記載の非常用トイレ。
【請求項６】
前記複数の袋の開口縁部を、前記台座の下面から打ち込まれたコ形のステープルによって、前記台座の上面に止着した請求項１〜５のいずれかに記載の非常用トイレ。
【請求項７】
前記複数の袋における開口可能な２辺の角部を、他の袋から引き剥がすための把手とした請求項３、またはそれに従属する４〜６のいずれかに記載の非常用トイレ。
【発明の詳細な説明】
【技術分野】
【０００１】
本発明は、既存のトイレの機能停止時に、該トイレに装着して使用する非常用トイレに関する。
【背景技術】
【０００２】
地震等の災害時に、上水道や下水道が機能停止した場合、水洗トイレを使用することはできなくなる。そのため、上下水道が機能停止した場合でも、便器に取付けて使用することができるようにした非常用トイレが公知である(例えば、特許文献１、２参照)。
【０００３】
特許文献１に記載の発明においては、ほぼ倒立四角錐とした袋の開口縁部における４箇所の角に把持部を設け、この袋を複数枚重ね合わせて、袋集合体を形成している。
使用時には、袋集合体における袋の開口縁部を水洗トイレの便器本体の開口縁部に被せて、把持部を便器本体の外側面に貼着し、かつ袋の底部を便器本体内に挿入し、その上から便座を被せる。
使用後は、便座を持ち上げて、袋集合体における最上位の袋の把持部を、他の袋の把持部と分離して持ち上げることにより、最上位の袋を他の袋から分離して、排泄物と一緒に廃棄することができる。
【０００４】
特許文献２に記載の発明においては、袋の両端に、互いに対向するポケットを形成し、このポケットに、中央に孔を設けた長方形の便座シートにおける長手方向の両端部を差し込むことにより、便座シートを袋に取付けるようにしている。
使用時には、便座シートを便器本体の上にセットし、袋の底部を便器本体内に挿入する。
使用後は、便座シートを中央から折り曲げ、折り曲げた部分同士を端部に設けたシール部によって接合することにより、袋の開口部を閉じた状態で、排泄物と一緒に廃棄することができる。
【先行技術文献】
【特許文献】
【０００５】
【特許文献１】特開２０１１−８３５３８号公報
【特許文献２】実用新案登録第３１４４１８７号公報
【発明の概要】
【発明が解決しようとする課題】
【０００６】
特許文献１に記載されているものは、各袋が特殊な形状をしているので、製造が面倒であり、しかも便器への取付作業が面倒で、手間がかかるだけでなく、便器に安定して装着することができず、便器内に落下するおそれがある。
特許文献２に記載されているものにおいても、袋にポケットを形成したり、そこに便座シートの端部を挿入したりしなければならないため、製造や取付作業が面倒であり、しかも複数回使用することができず、災害時等に、多数の人が使用するには不適である。
【０００７】
本発明は、上記問題点に鑑みてなされたもので、構成を簡略化することができるとともに、便器へ簡単に取付けることができ、かつ複数回使用することができるようにした非常用トイレを提供することを目的とする。
【課題を解決するための手段】
【０００８】
本発明によると、上記課題は、次のようにして解決される。
(１)  便器本体上に設けた便座の着座面に載置可能とするか、または便器本体と便座との間に挾持可能とした枠状の台座と、複数の気密性の袋を一枚ずつ分離可能に重ね合わせるとともに、複数の袋を開口した状態で、開口縁部を台座の上面に取外し可能に止着し、かつ複数の袋における底部を、台座の開口から便器本体内に挿入可能とした排泄物蓄積部とを備える。
【０００９】
このような構成とすると、台座を便座上に載置するか、または便器本体と便座との間に挾持し、袋の底部を台座の開口から便器本体内に挿入するだけで、トイレに簡単にかつ安定よく取付けることができる。
また、複数枚の袋を、使用する毎に１枚ずつ持ち上げるだけで他の袋と簡単に分離することができるので、複数回使用することができる。
さらに、構造が簡単で、袋や台座を簡単に製造できる。
【００１０】
(２)  上記(１)項において、前記台座の後部に左右方向の折り曲げ案内線を設け、着座時に台座の後端部が、前記便座または便器本体の上面後部に設けた隆起部によって、前記折り曲げ案内線から上方に折り曲げられるようにする。
【００１１】
このような構成とすると、使用者が着座したとき、台座の後端部が、便座または便器本体の後端部の温水設備、送風設備等を覆う隆起部により、折り曲げ案内線から上方に容易に折り曲げられるため、台座全体が便座または便器本体の上面になじみ、安定よく取付けることができる。
【００１２】
(３)  上記(１)または(２)項において、前記複数の袋を、互いに連続する２辺から開口可能とするとともに、他の２辺を閉塞し、閉じた状態においてほぼ四角形となるように形成し、開口可能な２辺を開いた状態で、当該２辺の開口縁部を、前記座板の上面に取外し可能に止着し、さらに閉塞された２辺が前記便器本体内において前後方向を向くようにする。
【００１３】
このような構成とすると、合成樹脂製の袋等を開口から底部に至る中心線で二等分したものを複数枚重ね合わせて、台座に取付けるだけで簡単に製造することができる。
【００１４】
(４)  上記(３)項において、前記複数の袋を、閉じた状態においてほぼ長方形となるように形成し、閉塞された長辺および短辺が、短辺を後位として、前記便器本体内において前後方向を向くようにして、複数の袋の底部を便器本体内に挿入可能とする。
【００１５】
このような構成とすると、排泄物の落下位置と袋の最低部とが一致し、排泄物を安定よく受け止めることができる。
【００１６】
(５)  上記(１)〜(４)項のいずれかにおいて、前記複数の袋における開口縁部の前端部および後端部を、前記台座の着座面に取外し可能に止着し、それ以外の部分を、台座の上面に止着することなく載置する。
【００１７】
このような構成とすると、排泄物蓄積部の袋を台座に簡単に取付けることができる。また、台座を便座上に載置した場合でも、袋の止着部が着座者に接触しないため、着座者が不快感を感じないようにすることができる。
【００１８】
(６)  上記(１)〜(５)項のいずれかにおいて、前記複数の袋の開口縁部を、前記台座の下面から打ち込まれたコ形のステープルによって前記台座の上面に止着する。
【００１９】
このような構成とすると、袋の開口縁部が、ステープルにおける両側片によって、中間部があいた状態で止着されるので、使用後に、最上位の袋を簡単に分離させることができる。
【００２０】
(７)  上記(１)〜(６)項のいずれかにおいて、前記複数の袋における開口可能な２辺の角部を、他の袋から引き剥がすための把手とする。
【００２１】
このような構成とすると、袋に把手を特別に設ける必要がなく、しかも、袋における開口可能な２辺の角部をもって、最上位の袋を１枚ずつ簡単に引き剥がすことができる。
【発明の効果】
【００２２】
本発明によると、構成を簡略化することができるとともに、便器へ簡単に取付けることができ、かつ複数回使用することができるようにした非常用トイレを提供することができる。
【図面の簡単な説明】
【００２３】
【図１】本発明に係る非常用トイレの一実施形態を、水洗便器における便器本体と便座との間に取り付けた状態において、右斜め前上方から見た斜視図である。
【図２】台座と排泄物蓄積部とを、左斜め前上方から見た分解斜視図である。
【図３】台座に排泄物蓄積部を取付ける要領を説明する斜視図である。
【図４】便器に取付ける前の本発明の非常用トイレを、右斜め前上方から見た斜視図である。
【図５】便座を上げた状態において、便器本体に取り付けた本発明の非常用トイレを、右斜め前上方から見た斜視図である。
【図６】本発明に係る非常用トイレを、水洗便器に装着された便座の上に取り付けた状態において、右斜め前上方から見た斜視図である。
【発明を実施するための形態】
【００２４】
以下、本発明の実施形態を図面に基づいて説明する。
図１は、本発明に係る非常用トイレの一実施形態を、水洗便器における便器本体と便座との間に取り付けた状態において、右斜め前上方から見た斜視図である。
【００２５】
台座４は、図２に示すように、段ボール等の厚紙にポリマーを含浸させたもの、或いは合成樹脂製の板材等によって、便座３における着座面５(図１参照)とほぼ同程度の大きさで、前端縁が円弧状に、後端縁が直線状に形成され、中央に、長径が前後方向を向く楕円形の開口６が設けられている。
台座４の後部には、開口６の後端縁７より僅かに前方に位置する左右方向の折り曲げ案内線８が、他の部分より折り曲げ易くなるようにして設けられている。この折り曲げ案内線８は、例えばＶ溝、薄肉片、または、破線状の切込み等とすることができる。
【００２６】
図１に示すように、台座４には、袋状の排泄物蓄積部９が取付けられている。この排泄物蓄積部９は、複数の気密性の袋１０を重ね合わせるとともに、複数の袋１０を開口した状態で、その開口縁部１１を台座４の上面１２に取外し可能に止着し、かつ複数の袋１０における底部１３を、台座４の開口６から便器本体２内に挿入可能としてある。
【００２７】
排泄物蓄積部９の袋１０は、図２に示すように、開口を閉じた状態で長方形となるように形成され、一方の長辺１４および短辺１５が開口され、他の長辺１６および短辺１７が閉塞されている。袋１０の長辺１４、１６は、台座４の開口６の長径より大とし、短辺１５、１７は、短径より大としてある。
【００２８】
袋１０は、ポリエチレン、ポリプロピレン、塩化ビニール等の水密薄片からなる一辺が開口された四角形の袋を、開口から底辺に至る中心軸線で２等分したものを使用することができる。
【００２９】
台座４に排泄物蓄積部９を取付けるには、重ね合わせた複数の袋１０を閉じた状態で、開口された長辺１４および短辺１５を斜め上方へ向け、閉塞された短辺１７が後方に位置し、かつ閉塞された長辺１６が前方を向くようにして袋１０を傾け、底部１３を台座４の上方から開口６に挿入する。
このようにすると、図３に示すように、閉塞された長辺１６および短辺１７の中間部が、台座４の開口６における長径部の縁に掛止される。
【００３０】
この状態で、図４に示すように、排泄物蓄積部９における各袋１０の開口された長辺１４および短辺１５を、台座４の開口６に沿って開口させると、これらの長辺１４および短辺１５の閉塞端１８、１９間に形成される開口縁部１１が、台座４の上面１２に当接する。
【００３１】
この状態で、開口縁部１１における前後端部を、台座４の下面から打ち込んだコ形のステープル２０によって台座４に止着し、開口縁部１１の前後端部以外の部分は、台座４に止着することなく載置するだけとする。
各袋１０における開口縁部１１より外側の三角部分の角部は、台座４の外周縁より外側に突出しているため、把手２１として使用することができる。
【００３２】
この非常用トイレＡを水洗便器１に取付けるには、図５に示すように、便座３を上げた状態において、台座４を、折り曲げ案内線８が後方に位置するようにして、便器本体２の開口縁部２２上に載置し、排泄物蓄積部９における袋１０の底部１３を台座４の開口６から便器本体２内に挿入し、便器本体２内に挿入された部分を袋状に広げる。
【００３３】
このようにして、便器本体２上に非常用トイレＡを取り付けた後、図１に示すように、便座３を便器本体２上に降ろすと、非常用トイレＡの台座４、および袋１０の開口縁部１１が、便器本体２の開口縁部２２(図５参照)と便座３とによって挾持され、非常用トイレＡが水洗便器１に位置ずれすることなく確実に装着される。
排泄物蓄積部９における袋１０の底部１３には、吸水材等(図示略)を挿入して使用するのが好ましい。
【００３４】
図５に示すように、便器本体２の後端部に、便器本体２の温水設備、送風設備などを覆うため、上方を向く隆起部２３が設けられている場合は、非常用トイレＡを便器本体２に取り付けた当初において、台座４の後端部が隆起部２３に当接して持ち上げられる。
【００３５】
この状態で、台座４に便座３の荷重がかかると、台座４の後端部は折り曲げ案内線８から上方に折り曲げられ、台座４は、便器本体２の開口縁部２２および隆起部２３に当接するため、安定性が良くなる。
【００３６】
排泄物蓄積部９の把手２１を、台座４および便器本体２の外周縁から下方に折り曲げ、左右の把手２１、２１により台座４および便器本体２を左右から挟むようにすることにより、さらに安定性が良くなる。
【００３７】
非常用トイレＡを使用した後は、便座３を持ち上げ、排泄物蓄積部９における最上位の袋１０における左右両側の把手２１を持ち上げることにより、ステープル２０によって台座４に止着されている開口縁部１１の前後端部を簡単に外すことができ、この袋１０を他の袋１０と容易に分離することができるため、排泄物を入れたままで、袋１０を簡単に廃棄することができる。
【００３８】
この非常用トイレＡは、図６に示すように、便器本体２上に装着した便座３の着座面５上に載置して使用することもできる。
この場合は、便座３の着座面５上に台座４を載置し、排泄物蓄積部９の袋１０を台座４の開口６から便器本体２内に挿入し、便器本体２内に挿入された部分を開口６に沿って広げるようにする。
【００３９】
本発明は、上記実施形態のみに限定されるものではなく、特許請求の範囲を逸脱しない範囲で、例えば次のような変形した態様での実施が可能である。
（１）排泄物蓄積部９における複数の袋１０を、閉じた状態においてほぼ正方形となるように形成し、この正方形における連続する２辺を開口するとともに、他の２辺を閉塞し、閉塞された２辺が、便器本体２内において前後方向を向くようにする。
(２)水洗便器１だけでなく、上面が開口する単なる箱体上に、台座４を載置し、袋１０における底部１３を箱体内に挿入して使用する。
【符号の説明】
【００４０】
Ａ  非常用トイレ
１  水洗便器
２  便器本体
３  便座
４  台座
５  着座面
６  開口
７  後端縁
８  折り曲げ案内線
９  排泄物蓄積部
１０  袋
１１  開口縁部
１２  上面
１３  底部
１４  長辺(開口)
１５  短辺(開口)
１６  長辺
１７  短辺
１８  閉塞端
１９  閉塞端
２０  ステープル
２１  把手
２２  開口縁部
２３  隆起部
【図１】
2013081564.tif 000003
【図２】
2013081564.tif 000004
【図３】
2013081564.tif 000005
【図４】
2013081564.tif 000006
【図５】
2013081564.tif 000007
【図６】
2013081564.tif 000008